(57)【要約】      （修正有）【課題】製品の歩留まりと使用寿命を向上できる、同軸コネクタを提供する。【解決手段】同軸コネクタは、主に誘電性殼体と外殼本体から構成され、外殼本体は弧形の態様を成し、この外殼本体を基礎として、射出成形で誘電性殼体が形成され、この誘電性殼体は環状に設けられて環状空間を形成し、且つその壁面に外殼本体２２に基づいて弧形に形成された２つの固定区域が形成され、誘電性殼体の底部に誘電性座体が設けられ、誘電性殼体内にさらに導体が設置され、その導体は誘電性座体によりその位置が固定されると共に、導体上の導体脚状接続部が誘電性座体から外側に向かって延伸され、外殼本体が誘電性殼体で被覆される。【選択図】図５
0003164662.tif 000002
【実用新案登録請求の範囲】
【請求項１】
同軸コネクタであって、２つの外殼本体と、誘電性殼体を含み、前記各外殼本体は一端が延伸されてはんだ脚状接続部が設けられ、前記誘電性殼体は前記外殼本体に従って環状空間が設けられ、且つ前記誘電性殼体のあらかじめ定めた壁面に２つの前記外殼本体と相互に結合される固定区域が形成されたことを特徴とする、同軸コネクタ。
【請求項２】
さらに前記誘電性殼体と連接され、且つ前記環状空間の中央に位置する導体を含むことを特徴とする、請求項１に記載の同軸コネクタ。
【請求項３】
前記導体が延伸され、対外的導電に供する導体脚状接続部を有することを特徴とする、請求項２に記載の同軸コネクタ。
【請求項４】
前記誘電性殼体の下端が延伸され、複数の位置決め凹陥部が形成された誘電性座体を有することを特徴とする、請求項１に記載の同軸コネクタ。
【請求項５】
前記位置決め凹陥部に、前記はんだ脚状接続部及び前記導体脚状接続部がそれぞれ連接されたことを特徴とする、請求項４に記載の同軸コネクタ。
【請求項６】
前記各はんだ脚状接続部が延伸され、前記各外殼本体と相互に連接された連接部を有することを特徴とする、請求項１に記載の同軸コネクタ。
【請求項７】
前記誘電性殼体が正円形体であることを特徴とする、請求項１に記載の同軸コネクタ。
【請求項８】
前記外殼本体が弧形の態様を成すことを特徴とする、請求項１に記載の同軸コネクタ。
【考案の詳細な説明】
【技術分野】
【０００１】
本考案は同軸コネクタに関し、特に、主に携帯型電子製品上に応用する同軸コネクタに関する。
【背景技術】
【０００２】
科学技術の進歩に伴い、携帯電話やＰＤＡ、ノートブックコンピュータ等、各種携帯型電子製品の携帯上の利便性がより高まり、軽量、薄型、小型の方向に向かって発展しているため、製品中の関連電子部品の小型化も避けられない傾向となっている。
【０００３】
ノートブックコンピュータに応用される同軸コネクタを例とすると、レセプタクルとプラグから構成され、レセプタクル底部がノートブックコンピュータのマザーボード上に取り付けられ、プラグの二端がレセプタクルとアンテナ上にそれぞれ取り付けられ、同軸ケーブルを介して信号の送受信を行う。従来の同軸コネクタ（中華民国公告特許第Ｉ２５１９６９号及び第Ｍ２５６６１６号）において、図1と図２に示すように、この同軸コネクタ１の金属外殼１０はプレス方式により、平板状のキャリア材を円環状の金属外殼１０にしたものがある。しかしながら、このような方式は製作上その真円度を保つことが容易でなく、その信号の伝送に影響するほか、同時に後続の製作時にも真円度がよくないため表面のひっかき傷が容易に生じてしまい、製品の外観、歩留まり、使用寿命に影響する。加えて、外殼には単一の脚状接続部のみが外側に向かって延伸されており、安定性上も不足する。
【０００４】
このため、いかに上述の従来品の問題と欠点を解決するかが本考案の考案者と関連産業に従事する企業が改善を研究する方向性である。
【先行技術文献】
【特許文献】
【０００５】
【特許文献１】中華民国公告特許第Ｉ２５１９６９号明細書
【特許文献２】中華民国公告特許第Ｍ２５６６１６号明細書
【考案の概要】
【考案が解決しようとする課題】
【０００６】
このため、本考案の考案者は上述の欠点に鑑み、関連資料を収集し、多方面の評価と検討を経て、関連産業に従事した長年の経験に基づき、試作と修正を重ね、ついにこの主に携帯型電子製品上に応用される同軸コネクタの構造改良の設計に至ったものである。
【０００７】
本考案の主な目的は、製品の歩留まりと使用寿命を向上することができる、同軸コネクタを提供することにある。
【課題を解決するための手段】
【０００８】
本考案の同軸コネクタは、主に誘電性殼体と外殼本体から構成され、そのうち、外殼本体は弧形の態様を成し、この外殼本体を基礎として、射出成形の方式を利用し、誘電性殼体が形成され、この誘電性殼体は環状に設けられて環状空間を形成し、且つそのあらかじめ定めた壁面に２つの固定区域が形成され、固定区域２３２は外殼本体２２に基づいて弧形に形成され、このほか、誘電性殼体の底部に誘電性座体が設けられ、誘電性殼体内にさらに導体が設置され、その導体は誘電性座体によりその位置が固定されると共に、導体上の導体脚状接続部が誘電性座体から外側に向かって延伸され、外殼本体が誘電性殼体で被覆されることにより、外殼全体の真円度が向上され、製品の生産時に金属部表面にひっかき傷が生じる現象が減少され、製品の歩留まりと使用寿命を向上することができる。
【考案の効果】
【０００９】
従来の同軸コネクタの脚状接続部の形式と異なり、本考案は３組の外側に向かって延伸された導電脚状接続部を具え、且つすべて同一平面上に位置するため、このような形式は後工程時の金型加工の利便性を高め、同時に脚状接続部とキャリア材の接触部の接触面積を減少し、切断加工時に完成品に傷がつきにくい。
【図面の簡単な説明】
【００１０】
【図１】従来の同軸コネクタの外殼構造を示す立体図である。
【図２】従来の同軸コネクタのレセプタクルを示す立体図である。
【図３】本考案の同軸コネクタの外殼本体の立体図である。
【図４】本考案の同軸コネクタのレセプタクルの立体分解図である。
【図５】本考案の同軸コネクタのレセプタクルの立体図である。
【考案を実施するための形態】
【００１１】
上述の目的と効果を達するため、本考案の採用する技術手段及び構造について、以下図面と本考案の最良の実施例を参照してその特徴と機能を詳細に説明する。
【００１２】
図３、図４、図５に本考案の同軸コネクタの外殼本体の立体図、同軸コネクタのレセプタクルの立体分解図、同軸コネクタのレセプタクルの立体図をそれぞれ示す。これらの図からはっきりと分かるように、本考案の同軸コネクタは、同軸コネクタ２が主に誘電性殼体２３と外殼本体２２から構成され、そのうち、外殼本体２２は弧形の態様を成し、この外殼本体２２を基礎として、射出成形の方式を利用し、誘電性殼体２３が形成され、この誘電性殼体２２は環状に設けられて環状空間２３１を形成し、且つそのあらかじめ定めた壁面に２つの固定区域２３２が形成され、固定区域２３２は外殼本体２２に基づいて弧形に形成されると共に、外殼本体２２の一端を延伸して前記各外殼本体２２に連接された連接部２２２を具えたはんだ脚状接続部２２１を具え、このほか、誘電性殼体２３の底部に誘電性座体２４が設けられ、且つ誘電性座体２４上に複数の位置決め凹陥部２４０が形成され、この位置決め凹陥部２４０を利用して導体２１上の導体脚状接続部２１１を固定することができ、また外殼本体２２上のはんだ脚状接続部２２１も位置決め凹陥部２４０により固定の目的を達することができる。上述の構造により、誘電性殼体２３が正円形体を成しているため、弧形の各外殼本体２２が誘電性殼体２３で被覆されることにより、外殼全体の真円度が向上され、製品の生産時に金属部表面にひっかき傷が生じる現象が減少され、製品の歩留まりと使用寿命を向上することができる。
【００１３】
上述の図面からはっきりと分かるように、本考案の誘電性座体２４から延伸される脚状接続部は３箇所だけであり、且つはんだ脚状接続部２２１及び導体脚状接続部２１１がすべて同一平面上に位置するため、金型製作上明らかに有利である。
【００１４】
以上の説明は本考案の最良の実施例に基づいたものであり、本考案の特許範囲を限定することはなく、本考案の明細書と図面の内容を運用した簡易な修飾及び同等効果の構造変化はすべて本考案の権利の範囲内に含まれる。
【００１５】
上述をまとめると、本考案の同軸コネクタは使用時にその効果と目的を確実に達することができるため、本考案は実用性に優れた創作であり、実用新案登録出願の要件を満たしているため、法に基づきここに出願を提出するものである。
【符号の説明】
【００１６】
１、２      同軸コネクタ
１０        金属外殼
２１        導体
２１１      導体脚状接続部
２２        外殼本体
２２１      はんだ脚状接続部
２２２      連接部
２３        誘電性殼体
２３１      環状空間
２３２      固定区域
２４        誘電性座体
２４０      位置決め凹陥部
【図１】
0003164662.tif 000003
【図２】
0003164662.tif 000004
【図３】
0003164662.tif 000005
【図４】
0003164662.tif 000006
【図５】
0003164662.tif 000007